(57)【要約】【課題】テンプレート画像筆記の作業を必要とせずテンプレート画像を表示させて筆記作業を行い、テンプレート画像と筆記画像とを含む画像を入手する。【解決手段】透明な筆記面１０４ａを含む筆記シート１０４と、テンプレート画像１５２が形成されて筆記面１０４ａの裏面に位置するテンプレート面１５３と、筆記シート１０４を搬送して筆記面１０４ａに筆記された画像を光学的に読み取り画像データとして出力する筆記画像読取部と、を備え、操作指示に応じて、筆記面１０４ａに筆記された画像を筆記画像読取部に読み取らせ、テンプレート画像１５２を示すテンプレート画像データを記憶領域から取得し、画像データが示す画像の規定位置にテンプレート画像データが示すテンプレート画像を配置した合成画像の合成画像データを生成して出力するようにした。【選択図】図２
2008221743.tif 000002
【特許請求の範囲】
【請求項１】
透明な筆記面を含む筆記シートと、
テンプレート画像が形成されて前記筆記面の裏面に位置するテンプレート面と、
前記筆記シートを搬送する搬送部を有し、当該筆記シートを搬送して前記筆記面に筆記された画像を光学的に読み取り画像データとして出力する筆記画像読取部と、
操作指示を受け付ける操作指示部と、
情報処理を実行する情報処理部と、
前記情報処理部が、前記操作指示部での操作指示に応じて、前記筆記面に筆記された画像を前記筆記画像読取部に読み取らせる処理と、前記テンプレート画像を示すテンプレート画像データが記憶されている記憶領域からテンプレート画像データを取得する処理と、前記筆記画像読取部から出力される画像データが示す画像の規定位置に前記取得したテンプレート画像データが示すテンプレート画像を配置した合成画像の合成画像データを生成する処理と、当該合成画像データを出力する処理と、を実行する手段と、
を備える電子黒板。
【請求項２】
複数の前記テンプレート面を含むテンプレートシートと、
前記テンプレートシートを搬送するテンプレート搬送部と、
前記情報処理部が、前記テンプレート搬送部に前記テンプレートシートを搬送させて、前記テンプレート面を前記筆記面の裏面に位置させる手段と、
を備え、
前記記憶領域には、複数の前記テンプレート面に形成されている複数の前記テンプレート画像を示す複数のテンプレート画像データが記憶され、
前記情報処理部は、前記操作指示部での選択操作指示に応じて、前記取得するテンプレート画像データを選択する、
請求項１記載の電子黒板。
【請求項３】
透明な筆記面を含む筆記シートと、
テンプレート画像が形成されて前記筆記面の裏面に位置するテンプレート面を含むテンプレートシートと、
前記筆記シートを搬送する搬送部を有し、当該筆記シートを搬送して前記筆記面に筆記された画像を光学的に読み取り画像データとして出力する筆記画像読取部と、
前記テンプレートシートを搬送するテンプレート搬送部を有し、当該テンプレートシートを搬送して前記テンプレート面に形成されたテンプレート画像を光学的に読み取りテンプレート画像データとして出力するテンプレート読取部と、
操作指示を受け付ける操作指示部と、
情報処理を実行する情報処理部と、
前記情報処理部が、前記操作指示部での操作指示に応じて、前記筆記面に筆記された画像を前記筆記画像読取部に読み取らせる処理と、前記テンプレート面に形成されたテンプレート画像を前記テンプレート読取部に読み取らせる処理と、前記筆記画像読取部から出力される画像データが示す画像の規定位置に前記テンプレート読取部から出力されるテンプレート画像データが示すテンプレート画像を配置した合成画像の合成画像データを生成する処理と、当該合成画像データを出力する処理と、を実行する手段と、
を備える電子黒板。
【請求項４】
前記テンプレートシートは、複数の前記テンプレート面を含み、
前記情報処理部は、前記テンプレート搬送部に前記テンプレートシートを搬送させて、前記テンプレート面を前記筆記面の裏面に位置させる、
請求項３記載の電子黒板。
【請求項５】
透明な筆記面と、
テンプレート画像が形成されて前記筆記面の裏面に位置するテンプレート面と、
前記筆記面上をスライド移動可能に設けられて、当該筆記面上をスライド移動して当該筆記面に筆記された画像と前記テンプレート画像とを光学的に読み取って合成画像データとして出力する自走型読取部と、
操作指示を受け付ける操作指示部と、
情報処理を実行する情報処理部と、
前記情報処理部が、前記操作指示部での操作指示に応じて、前記筆記面に筆記された画像と前記テンプレート画像とを前記自走型読取部に読み取らせる処理と、前記自走型読取部から出力される合成画像データを出力する処理と、を実行する手段と、
を備える電子黒板。
【請求項６】
複数の前記テンプレート面を含むテンプレートシートと、
前記テンプレートシートを搬送するテンプレート搬送部と、
前記情報処理部が、前記テンプレート搬送部に前記テンプレートシートを搬送させて、前記テンプレート面を前記筆記面の裏面に位置させる手段と、
を備える請求項５記載の電子黒板。
【発明の詳細な説明】
【技術分野】
【０００１】
本発明は、電子黒板に関する。
【背景技術】
【０００２】
従来、筆記シートの筆記面に筆記された画像を光学的に読み取り画像データとしてプリンタ等に出力する電子黒板がある。電子黒板によれば、筆記面に筆記した画像をプリントアウト等として入手することができる。
【０００３】
【特許文献１】特開２０００−１６８２９４号公報
【発明の開示】
【発明が解決しようとする課題】
【０００４】
例えば、スケジュール表枠、曜日、日付、スケジュール内容等を含む週間のスケジュールを画像として筆記面に筆記する場合がある。スケジュール表枠のような画像であるテンプレート画像は、形や大きさ等のフォームがその都度変化するものではない。そのため、電子黒板の使用者の間には、テンプレート画像筆記の作業を必要とせずに筆記面にテンプレート画像を表示させて筆記作業を行い、表示されたテンプレート画像と筆記画像とを含む画像をプリントアウト等として入手したいという要望がある。
【０００５】
特許文献１には、筆記面に筆記された文字列を含む画像（書込情報）を読み取り、この文字列に対してＯＣＲ処理を実行し、この文字列を所定のテンプレート画像（文書テンプレート画像）に挿入した文書を生成するようにした電子黒板システムが開示されている。しかしながら、特許文献１に記載された技術は、筆記面にテンプレート画像を表示させるようにしたものではなく、また、筆記面の画像をそのままプリントアウト等として入手することもできない。
【０００６】
本発明の目的は、テンプレート画像筆記の作業を必要とせずに筆記面にテンプレート画像を表示させて筆記作業を行うことができ、表示されたテンプレート画像と筆記画像とを含む画像をプリントアウト等として入手することができる電子黒板を提供することである。
【課題を解決するための手段】
【０００７】
本発明の電子黒板は、透明な筆記面を含む筆記シートと、テンプレート画像が形成されて前記筆記面の裏面に位置するテンプレート面と、前記筆記シートを搬送する搬送部を有し、当該筆記シートを搬送して前記筆記面に筆記された画像を光学的に読み取り画像データとして出力する筆記画像読取部と、操作指示を受け付ける操作指示部と、情報処理を実行する情報処理部と、を備え、前記情報処理部が、前記操作指示部での操作指示に応じて、前記筆記面に筆記された画像を前記筆記画像読取部に読み取らせる処理と、前記テンプレート画像を示すテンプレート画像データが記憶されている記憶領域からテンプレート画像データを取得する処理と、前記筆記画像読取部から出力される画像データが示す画像の規定位置に前記取得したテンプレート画像データが示すテンプレート画像を配置した合成画像の合成画像データを生成する処理と、当該合成画像データを出力する処理と、を実行するようにした。
【０００８】
別の面から見た本発明の電子黒板は、透明な筆記面を含む筆記シートと、テンプレート画像が形成されて前記筆記面の裏面に位置するテンプレート面を含むテンプレートシートと、前記筆記シートを搬送する搬送部を有し、当該筆記シートを搬送して前記筆記面に筆記された画像を光学的に読み取り画像データとして出力する筆記画像読取部と、前記テンプレートシートを搬送するテンプレート搬送部を有し、当該テンプレートシートを搬送して前記テンプレート面に形成されたテンプレート画像を光学的に読み取りテンプレート画像データとして出力するテンプレート読取部と、操作指示を受け付ける操作指示部と、情報処理を実行する情報処理部と、を備え、前記情報処理部が、前記操作指示部での操作指示に応じて、前記筆記面に筆記された画像を前記筆記画像読取部に読み取らせる処理と、前記テンプレート面に形成されたテンプレート画像を前記テンプレート読取部に読み取らせる処理と、前記筆記画像読取部から出力される画像データが示す画像の規定位置に前記テンプレート読取部から出力されるテンプレート画像データが示すテンプレート画像を配置した合成画像の合成画像データを生成する処理と、当該合成画像データを出力する処理と、を実行するようにした。
【０００９】
さらに別の面から見た本発明の電子黒板は、透明な筆記面と、テンプレート画像が形成されて前記筆記面の裏面に位置するテンプレート面と、前記筆記面上をスライド移動可能に設けられて、当該筆記面上をスライド移動して当該筆記面に筆記された画像と前記テンプレート画像とを光学的に読み取って合成画像データとして出力する自走型読取部と、操作指示を受け付ける操作指示部と、情報処理を実行する情報処理部と、を備え、前記情報処理部が、前記操作指示部での操作指示に応じて、前記筆記面に筆記された画像と前記テンプレート画像とを前記自走型読取部に読み取らせる処理と、前記自走型読取部から出力される合成画像データを出力する処理と、を実行するようにした。
【発明の効果】
【００１０】
本発明によれば、テンプレートシートに形成されたテンプレート画像を筆記面に透過表示させて筆記作業を行うことができ、また、合成画像データの出力により、テンプレート画像と筆記画像とを含む画像である合成画像を入手することができる。
【発明を実施するための最良の形態】
【００１１】
本発明の第１の実施の形態について図１ないし図９に基づいて説明する。本実施の形態は、筆記シート１０４を搬送させて画像を読み取る筆記シート回転タイプの電子黒板１０１への適用例である。
【００１２】
図１は、第１の実施の形態における電子黒板１０１を示す斜視図である。電子黒板１０１は、フレーム１０３を有する。フレーム１０３は、一対のスタンド１０２によって支持されている。フレーム１０３は、横方向に長い長方形のベース部１０３ａと、ベース部１０３ａの上部から上向きに突出した平板状の上突出部１０３ｂと、ベース部１０３ａの下部から下向きに突出した平板状の下突出部１０３ｃによって構成されている。
【００１３】
フレーム１０３は、筆記シート１０４を収納している。筆記シート１０４は、透明部材によって構成されている。筆記シート１０４におけるフレーム１０３の前面側の開口部１０３ｄから外部に露出した部分は、マーカーペン等によって文字や図形等の画像が筆記される筆記面１０４ａとなる。なお、筆記面１０４ａの裏面には、筆記面１０４ａに対する筆記性を確保するための筆記ボード（図示せず）が設けられている。
【００１４】
フレーム１０３は、テンプレート画像１５２が印刷されたテンプレートシート１５１を収納している。筆記シート１０４が透明であるため、テンプレート画像１５２は、筆記面１０４ａに透過表示されている。テンプレートシート１５１におけるテンプレート画像１５２を含む部分は、テンプレート面１５３となる。
【００１５】
フレーム１０３の筆記面１０４ａを正面から見て右側部分には、操作指示部としての操作パネル１１１が設けられている。フレーム１０３の下辺部には、マーカーペンやクリーナ等を配置することができる棚部１１５が突出形成されている。操作パネル１１１の下方位置であって棚部１１５の端部には、ＵＳＢポート１４２と電源スイッチ１４３とが設けられている。棚部１１５の下方位置には、プリンタ設置部１０８ａが設けられている。プリンタ設置部１０８ａには、プリンタ１０８が設置されている。
【００１６】
図２は、筆記シート１０４とテンプレートシート１５１との関係を概略的に示す斜視図である。筆記シート１０４とテンプレートシート１５１とは共にエンドレス状である。筆記シート１０４とテンプレートシート１５１とは、互いに交差した状態でフレーム１０３（図１参照）の内部に配置されている。筆記シート１０４とテンプレートシート１５１とは、筆記面１０４ａとテンプレート面１５３とが接触して重なるように配置されている。
【００１７】
筆記シート１０４は、搬送部としての一対のローラ１２２に掛け渡されている。一対のローラ１２２は、ベース部１０３ａ（図１参照）の内部の両端部に互いに平行に設けられている。ローラ１２２の一方には、ベルト伝動機構（図示せず）を介して搬送部としてのモータ１２３（図６参照）が接続されている。モータ１２３の駆動により、ベルト伝動機構を介してローラ１２２が回転する。ローラ１２２の回転によって、筆記シート１０４が回転搬送される。
【００１８】
テンプレートシート１５１は、テンプレート搬送部としての一対のローラ２０２に掛け渡されている。一対のローラ２０２は、互いに平行であり、一方が上突出部１０３ｂに配置され、他方が下突出部１０３ｃに配置されている。ローラ２０２の一方には、ベルト伝動機構（図示せず）を介して搬送部としてのモータ２１０（図６参照）が接続されている。モータ２１０の駆動により、ベルト伝動機構を介してローラ２０２が回転する。ローラ２０２の回転によって、テンプレートシート１５１が回転搬送される。
【００１９】
筆記シート１０４には、テンプレート画像１５２の位置基準となる規定位置線１０５が薄く印刷されている。テンプレートシート１５１を搬送することにより、テンプレートシート１５１に印刷されたテンプレート画像１５２を規定位置線１０５に位置付ける。
【００２０】
図３は、回転するテンプレートシート１５１を示す斜視図である。テンプレートシート１５１には、テンプレート画像１５２として、例えば、週間スケジュールを書き込むための週間テンプレート画像１５２ａと、月間スケジュールを書き込むための月間テンプレート画像１５２ｂとが印刷されている。テンプレート画像１５２を含む各々のテンプレート面１５３は、ローラ２０２の回転によるテンプレートシート１５１の回転搬送によって、筆記面１０４ａに対応する位置に位置付けられる。テンプレートシート１５１におけるテンプレート面１５３ではない無印刷面１５４（テンプレート画像１５２が印刷されていない面部分）は、テンプレート画像１５２を使用しない場合に筆記面１０４ａに対応する位置に位置付けられて使用される。
【００２１】
なお、テンプレートシート１５１には、三以上のテンプレート画像１５２が印刷されていてもよいことは言うまでもない。また、本実施の形態では、エンドレス状のテンプレートシート１５１を一対のローラ２０２によって回転させる構成を例に示したが、例えば、長尺状のテンプレートシートの一端側を回転するローラによって巻き取ってテンプレートシートを搬送させる構成であってもよい。
【００２２】
図４は、電子黒板１０１の内部構造を模式的に示す正面図である。フレーム１０３のベース部１０３ａの内部には、筆記シート１０４を搬送して筆記面１０４ａに筆記された画像を読み取る筆記画像読取部１２１が設けられている。したがって、筆記シート１０４を搬送するローラ１２２は、筆記画像読取部１２１を構成する。ベース部１０３ａの一方のローラ１２２の近くには、筆記画像読取部１２１の一部として、光源１２４が設けられている。光源１２４は例えば蛍光灯によって構成されている。さらに、ベース部１０３ａには、筆記画像読取部１２１の一部として、ミラー１２６及びレンズ１２７によって構成された縮小光学系である光学系１２５とＣＣＤセンサ１２８とが設けられている。光学系１２５は、光源１２４が照射して筆記シート１０４により反射された光を集光する。ＣＣＤセンサ１２８は、光学系１２５により集光された光を受光する。
【００２３】
図５は、筆記画像読取部１２１を模式的に示す平面図である。図５に基づいて、筆記面１０４ａに筆記された画像の読み取りについて説明する。電子黒板１０１に電源が投入されている状態では、電源装置（図示せず）は光源１２４に電力を供給しているため、光源１２４は点灯している。操作パネル１１１のプリンタ出力キー１１２ｃ（図７参照）が押下されることにより、モータ１２３が駆動して、筆記シート１０４は所定量回転搬送される。こうして、光源１２４は、搬送される筆記シート１０４の筆記面１０４ａに光を照射することになる。光学系１２５は、筆記面１０４ａからの反射光を集光する。ＣＣＤセンサ１２８は、光学系１２５により集光された光を１ライン毎に受光することにより、筆記面１０４ａに筆記された画像を画像データとして読み取る。ＣＣＤセンサ１２８は、筆記画像読取部１２１を構成する画像処理部１３６（図６参照）に接続されており、読み取った画像データを画像処理部１３６に出力する。ＣＣＤセンサ１２８により１ライン毎に読み取られた画像データは、電気信号へと変換され、この電気信号は画像処理部１３６でデジタル信号の画像データへと変換される。画像処理部１３６は、この画像データを情報処理部１３１（図６参照）に出力する。
【００２４】
図６は、電子黒板１０１のハードウェア構成を示すブロック図である。電子黒板１０１は、情報処理部１３１を有する。情報処理部１３１は、演算及び制御を行うＣＰＵ１３２と、コンピュータプログラム等の固定データを固定的に記憶するＲＯＭ１３３と、可変データを書き換え自在に記憶しワークエリアとして使用されるＲＡＭ１３４とを含む。ＲＯＭ１３３には、テンプレート画像が記憶されたテンプレート記憶領域１３５が設けられている。テンプレート記憶領域１３５に記憶されたテンプレート画像データは、テンプレートシート１５１のテンプレート面１５３に印刷されたテンプレート画像１５２を示すものである。テンプレート記憶領域１３５には、テンプレート画像データの他、位置データが記憶されている。位置データは、情報処理部１３１が実行する画像合成処理（図９参照）に際して情報処理部１３１が参照するものである。
【００２５】
情報処理部１３１には、操作パネル１１１、筆記シート１０４を搬送するためのモータ１２３、テンプレートシート１５１を搬送するためのモータ２１０、光源１２４の点灯を制御する点灯回路１３９、ＣＣＤセンサ１２８が接続されている画像処理部１３６、及び、ＵＳＢコントローラ１４７がバスライン１３８を介して接続されている。画像処理部１３６は、各種処理回路（図示せず）や各種処理実行時に参照される設定内容が記憶されたメモリ（図示せず）等によって構成されている。ＵＳＢコントローラ１４７には、プリンタ１０８が接続されたプリンタ用ＵＳＢポート１４６と、ＵＳＢメモリ１４９が挿し込み可能なＵＳＢポート１４２とが接続されている。筆記画像読取部１２１を構成する各部は、情報処理部１３１によって制御される。
【００２６】
また、電子黒板１０１には、電子黒板１０１の各部に電力を供給する電源装置を制御する電源制御部１３７が設けられている。電源制御部１３７には、電源スイッチ１４３が接続されている。電源スイッチ１４３を介して電源制御部１３７を操作することができる。
【００２７】
図７は、操作パネル１１１を示す模式図である。操作パネル１１１には、複数のキー１１２が設けられている。キー１１２は、筆記シート搬送キー１１２ａ、テンプレートシート搬送キー１１２ｂ、プリンタ出力キー１１２ｃ、データ出力キー１１２ｄ、及び、選択キー１１４を含む。情報処理部１３１は、キー１１２が押下されることにより、ＲＯＭ１３３に格納されたコンピュータプログラムに従い、各種の処理を実行する。
【００２８】
筆記シート搬送キー１１２ａが押下された場合、情報処理部１３１は、モータ１２３を駆動させて筆記シート１０４を搬送させる。モータ１２３は、筆記シート搬送キー１１２ａが押下されている間中駆動する。
【００２９】
テンプレートシート搬送キー１１２ｂが押下された場合、情報処理部１３１は、モータ２１０を駆動させてテンプレートシート１５１を搬送させる。モータ２１０は、テンプレートシート搬送キー１１２ｂが押下されている間中駆動する。テンプレートシート搬送キー１１２ｂを押下してテンプレートシート１５１を搬送させることにより、テンプレート画像１５２を規定位置線１０５に位置付ける。
【００３０】
選択キー１１４は、週間テンプレート画像選択キー１１４ａとテンプレート画像選択キー１１４ｂとを含む。テンプレート画像１５２として週間テンプレート画像１５２ａ（図３参照）を規定位置線１０５（図２参照）に位置付けている場合には、週間テンプレート画像選択キー１１４ａを押下し、月間テンプレート画像１５２ｂ（図３参照）を規定位置線１０５に位置付けている場合には、テンプレート画像選択キー１１４ｂを押下する。週間テンプレート画像選択キー１１４ａの押下によりＬＥＤランプ１１３ａが点灯し、テンプレート画像選択キー１１４ｂの押下によりＬＥＤランプ１１３ｂが点灯する。
【００３１】
次に、プリンタ出力キー１１２ｃ、または、データ出力キー１１２ｄが押下された場合に情報処理部１３１が実行する処理について説明する。
【００３２】
図８は、プリンタ出力キー１１２ｃが押下された場合に情報処理部１３１が実行する処理の流れを示すフローチャートである。プリンタ出力キー１１２ｃが押下されたならば（Ｓ１０１のＹ）、情報処理部１３１は、筆記画像読取部１２１を駆動制御して、図５に基づいて説明したように、筆記面１０４ａに筆記された画像を画像データとして読み取らせて出力させて（Ｓ１０２）、この画像データを取得する（Ｓ１０３）。次に、情報処理部１３１は、押下されている選択キー１１４に対応するテンプレート画像データをテンプレート記憶領域１３５から取得して（Ｓ１０４）、画像合成処理を実行して合成画像データを生成する（Ｓ１０５）。
【００３３】
図９は、画像合成処理の処理内容を示す模式図である。情報処理部１３１は、画像合成処理として、画像データが示す画像に対してテンプレート画像データが示す画像であるテンプレート画像を配置した合成画像の合成画像データを生成する処理を実行する。この配置はテンプレート記憶領域１３５に記憶されている位置データに基づき実行する。したがって、画像合成処理に際して情報処理部１３１は、テンプレート記憶領域１３５から位置データを取得する。位置データは、例えば、画像データが示す画像における四つの座標点Ａ、Ｂ、Ｃ、Ｄに、テンプレート画像データが示すテンプレート画像の四隅の点をそれぞれ重ねることを規定している。これにより生成した合成画像データが示す合成画像は、テンプレートシート１５１のテンプレート画像１５２が筆記シート１０４の規定位置線１０５（図２参照）に位置付けられた筆記面１０４ａの状態を示す。
【００３４】
図８のフローチャートに戻る。画像合成処理を実行した後、情報処理部１３１は、印刷処理を実行して（Ｓ１０６）、処理を終える。印刷処理では、情報処理部１３１は、画像合成処理の実行によって生成した合成画像データを印刷用のデータに変換してＲＡＭ１３４に記憶させ、このデータをプリンタ１０８に出力して、プリンタ１０８にこの合成画像データに基づく画像をプリントアウトとして発行させる。そして、ＲＡＭ１３４のクリア処理を実行する。
【００３５】
データ出力キー１１２ｄが押下された場合には、情報処理部１３１は、Ｓ１０２からＳ１０５までの処理を実行し、生成した合成画像データを、ＵＳＢポート１４２に出力して、この合成画像データをＵＳＢポート１４２に差し込まれたＵＳＢメモリ１４９に移動させる。
【００３６】
次に、本発明の第２の実施の形態について図１０ないし図１２に基づいて説明する。本実施の形態も、筆記シート１０４を搬送させて画像を読み取る筆記シート回転タイプの電子黒板１０１への適用例である。第１の実施の形態と同一の部分は同一の符号で示し説明も省略する。
【００３７】
図１０は、第２の実施の形態における電子黒板１０１の内部構造を模式的に示す正面図である。本実施の形態におけるフレーム１０３の内部には、テンプレートシート１５１を搬送してテンプレート面１５３に印刷されたテンプレート画像１５２をテンプレート画像データとして読み取るテンプレート読取部２０１が設けられている。したがって、テンプレートシート１５１を搬送するローラ２０２はテンプレート読取部２０１を構成する。上突出部１０３ｂのローラ２０２の近くには、テンプレート読取部２０１の一部として、光源２０３が設けられている。光源２０３は例えば蛍光灯によって構成されている。さらに、本実施の形態のフレーム１０３には、テンプレート読取部２０１の一部として、ミラー２０４及びレンズ２０５によって構成された縮小光学系である光学系２０６とＣＣＤセンサ２０７とが設けられている。光学系２０６は、光源２０３が照射してテンプレートシート１５１により反射された光を集光する。ＣＣＤセンサ２０７は、光学系２０６により集光された光を受光する。
【００３８】
テンプレート面１５３に印刷されたテンプレート画像１５２の読み取りについては、筆記面１０４ａに筆記された画像の読み取り（図５参照）と同様に行われる。テンプレート読取部２０１を構成するＣＣＤセンサ２０７は、テンプレート読取部２０１を構成する画像処理部２０８（図１１参照）に接続されており、読み取ったテンプレート画像データを画像処理部２０８に出力する。ＣＣＤセンサ２０７により１ライン毎に読み取られた画像データは、電気信号へと変換され、この電気信号は画像処理部２０８でデジタル信号の画像データへと変換される。画像処理部１３６は、この画像データを情報処理部１３１（図１１参照）に出力する。
【００３９】
図１１は、第２の実施の形態における電子黒板１０１のハードウェア構成を示すブロック図である。本実施の形態の情報処理部１３１には、テンプレート読取部２０１の一部として、テンプレートシート１５１を搬送するためのモータ２１０の他、ＣＣＤセンサ２０７が接続されている画像処理部２０８と、光源２０３の点灯を制御する点灯回路２０９とが接続されている。画像処理部２０８は、画像処理部１３６と同様の構成及び機能を有する。また、本実施の形態のＲＯＭ１３３に設けられたテンプレート記憶領域１３５には、画像合成処理に際して情報処理部１３１が参照する位置データが少なくとも記憶されている。
【００４０】
図１２は、第２の実施の形態におけるプリンタ出力キー１１２ｃが押下された場合に情報処理部１３１が実行する処理の流れを示すフローチャートである。プリンタ出力キー１１２ｃが押下されたならば（Ｓ２０１のＹ）、情報処理部１３１は、筆記画像読取部１２１を駆動制御して、筆記面１０４ａに筆記された画像を画像データとして読み取らせ出力させて（Ｓ２０２）、この画像データを取得する（Ｓ２０３）。次に、情報処理部１３１は、テンプレート読取部２０１を駆動制御して、テンプレート面１５３に印刷されたテンプレート画像１５２をテンプレート画像データとして読み取らせ（Ｓ２０４）、このテンプレート画像データを取得する（Ｓ２０５）。次に、情報処理部１３１は、画像合成処理を実行して合成画像データを生成する（Ｓ２０６）。本実施の形態における画像合成処理は、図９に基づいて説明した第１の実施の形態における画像合成処理に準ずる。そして、情報処理部１３１は、印刷処理を実行して（Ｓ２０７）、処理を終える。
【００４１】
データ出力キー１１２ｄが押下された場合には、情報処理部１３１は、Ｓ２０２からＳ２０６までの処理を実行し、生成した合成画像データを、ＵＳＢポート１４２に出力して、ＵＳＢポート１４２に差し込まれたＵＳＢメモリ１４９に記憶させる。
【００４２】
次に、本発明の第３の実施の形態について図１３ないし図１７に基づいて説明する。本実施の形態は、フレーム１０３に固定された筆記ボード３１１の筆記面３１１ａに筆記された画像を読み取る筆記ボード固定タイプの電子黒板１０１への適用例である。第１の実施の形態及び第２の実施の形態と同一の部分は同一の符号で示し説明も省略する。
【００４３】
図１３は、第３の実施の形態における電子黒板１０１を示す斜視図である。本実施の形態の電子黒板１０１は、他の実施の形態のように筆記シート１０４を有さず、透明部材で構成された筆記ボード３１１を有する。筆記ボード３１１は、フレーム１０３の開口部１０３ｄと略同じ形状を有して、フレーム１０３に移動不可に固定されている。筆記ボード３１１の全体が筆記面３１１ａとなっている。テンプレートシート１５１は、他の実施の形態と同様に、回転搬送が可能である。また、本実施の形態の電子黒板１０１は、筆記面１０４ａの面上をスライド移動自在な自走型読取部３０１を有する。自走型読取部３０１は、光源３０５及びセンサ部３０３（図１６参照）が一体となったいわゆるＣＩＳ（Ｃｏｎｔａｃｔ  Ｉｍａｇｅ  Ｓｅｎｓｏｒ）である。ＣＩＳにおける画像の読み取りを可能にする機構の構造や処理手順等については、その内容が周知なので、説明を省略する。
【００４４】
図１４は、第３の実施の形態における電子黒板１０１のフレーム１０３の一部を示す斜視図である。図１５は、自走型読取部３０１を示す断面図である。図１４に示すように、本実施の形態におけるフレーム１０３のベース部１０３ａの上縁部分にはレール部３２１が設けられている。レール部３２１は、ベース部１０３ａの上縁部分から一定距離の位置に配置されて筆記面３１１ａと平行なレール面部３２１ａと、レール面部３２１ａとフレーム１０３とを接続する接続部３２１ｂとから構成されている。図１５に示すように、自走型読取部３０１は、レール面部３２１ａの上下部分が嵌り込んでレール面部３２１ａに対して移動自在な移動部３３１を一体的に有する。移動部３３１は、レール面部３２１ａの両面に対して接触する位置に設けられた一対のタイヤ部３３２を有する。タイヤ部３３２はモータ３０２（図１６参照）の駆動によって回転する。タイヤ部３３２の回転により、移動部３３１を含む自走型読取部３０１は、レール面部３２１ａに沿って筆記面３１１ａの面上をスライド移動する。自走型読取部３０１は、このようにして筆記面１０４ａの面上を移動することによって、筆記面１０４ａに筆記された画像と筆記面１０４ａに透過表示されているテンプレート画像１５２とを光学的に読み取り画像データ（合成画像データ）として出力する。
【００４５】
図１６は、第３の実施の形態における電子黒板１０１のハードウェア構成を示すブロック図である。本実施の形態の情報処理部１３１には、前述したモータ３０２の他、自走型読取部３０１の一部として、センサ部３０３が接続されている画像処理部３０４と、光源３０５の点灯を制御する点灯回路３０６とが接続されている。光源３０５は、例えば、ＬＥＤランプによって構成されている。画像処理部３０４は、他の実施の形態における画像処理部１３６又は画像処理部２０８と同様の構成及び機能を有する。
【００４６】
図１７は、第３の実施の形態におけるプリンタ出力キー１１２ｃが押下された場合に情報処理部１３１が実行する処理の流れを示すフローチャートである。プリンタ出力キー１１２ｃが押下されたならば（Ｓ３０１のＹ）、情報処理部１３１は、自走型読取部３０１を駆動制御して筆記面３１１ａの面上を移動させて筆記面３１１ａに筆記された画像と筆記面３１１ａに透過表示されたテンプレート画像１５２とを合成画像データとして読み取らせ出力させて（Ｓ３０２）、この合成画像データを取得する（Ｓ３０３）。次に、情報処理部１３１は、印刷処理を実行して（Ｓ３０４）、処理を終える。印刷処理は、取得した合成画像データを印刷データに変換してＲＡＭ１３４に記憶し、この印刷データをプリンタ１０８に出力して、プリンタ１０８に印刷データに基づく画像を記録媒体上に印刷させて発行させる処理である。
【００４７】
データ出力キー１１２ｄが押下された場合には、情報処理部１３１は、Ｓ３０２からＳ３０３までの処理を実行し、取得した合成画像データを、ＵＳＢポート１４２に出力して、ＵＳＢポート１４２に差し込まれたＵＳＢメモリ１４９に移動させる。
【００４８】
以上説明したように、上記実施の形態によれば、テンプレートシート１５１に印刷されたテンプレート画像１５２を筆記面１０４ａに透過表示させて、テンプレート画像１５２を筆記する作業を必要とせずに、筆記面１０４ａに対する筆記作業を行うことができる。そして、筆記面１０４ａに表示されているテンプレート画像１５２と筆記面１０４ａに筆記されている画像とを含む合成画像をプリントアウトとして入手することができる。
【００４９】
なお、テンプレート画像を筆記面に筆記する作業を省略して筆記面にテンプレート画像を表示させるために、一般的な電子黒板において、筆記シートに対して直接的にテンプレート画像を消去不可に描いたり印刷したりしている場合がある。しかし、そうすると、異なるテンプレート画像を使用したい場合やテンプレート画像を使用しない場合等に困難が生じ、場合によっては筆記シート自体を交換することになってしまう。しかしながら、上記実施の形態によれば、テンプレートシート１５１を回転搬送することができるため、容易に異なるテンプレート画像１５２を使用したりテンプレート画像１５２を使用しなかったりすることができる。
【００５０】
また、テンプレート画像を筆記面に筆記する作業を省略して筆記面にテンプレート画像を表示させるために、ビニールテープ等を用いて枠形状に形成したテンプレート画像を筆記シートに直接的に貼り付けてしまう場合がある。しかし、一般的な筆記シート回転タイプの電子黒板では、筆記シートの回転搬送に際して、貼り付けられたテンプレート画像が電子黒板のフレームに引っ掛かって剥がれてしまうおそれがある。しかしながら、上記実施の形態によれば、テンプレート画像を筆記シートに貼り付ける必要はない。
【図面の簡単な説明】
【００５１】
【図１】第１の実施の形態における電子黒板を示す斜視図である。
【図２】筆記シートとテンプレートシートとの関係を概略的に示す斜視図である。
【図３】回転するテンプレートシートを示す斜視図である。
【図４】電子黒板の内部構造を模式的に示す正面図である。
【図５】筆記画像読取部を模式的に示す平面図である。
【図６】電子黒板のハードウェア構成を示すブロック図である。
【図７】操作パネルを示す模式図である。
【図８】プリンタ出力キーが押下された場合に情報処理部が実行する処理の流れを示すフローチャートである。
【図９】画像合成処理の処理内容を示す模式図である。
【図１０】第２の実施の形態における電子黒板の内部構造を模式的に示す正面図である。
【図１１】第２の実施の形態における電子黒板のハードウェア構成を示すブロック図である。
【図１２】第２の実施の形態におけるプリンタ出力キーが押下された場合に情報処理部が実行する処理の流れを示すフローチャートである。
【図１３】第３の実施の形態における電子黒板を示す斜視図である。
【図１４】第３の実施の形態における電子黒板のフレームの一部を示す斜視図である。
【図１５】自走型読取部を示す断面図である。
【図１６】第３の実施の形態における電子黒板のハードウェア構成を示すブロック図である。
【図１７】第３の実施の形態におけるプリンタ出力キーが押下された場合に情報処理部が実行する処理の流れを示すフローチャートである。
【符号の説明】
【００５２】
１０１…電子黒板、１０４…筆記シート、１０４ａ…筆記面、１１１…操作パネル（操作指示部）、１２１…筆記画像読取部、１２２…ローラ（搬送部）、１２３…モータ（搬送部）、１３１…情報処理部、１３５…テンプレート記憶領域（記憶領域）、１５２…テンプレート画像、１５３…テンプレート面、１５１…テンプレートシート、２０２…ローラ（テンプレート搬送部）、２１０…モータ（テンプレート搬送部）、３０１…自走型読取部、３１１ａ…筆記面
【図１】
2008221743.tif 000003
【図２】
2008221743.tif 000004
【図３】
2008221743.tif 000005
【図４】
2008221743.tif 000006
【図５】
2008221743.tif 000007
【図６】
2008221743.tif 000008
【図７】
2008221743.tif 000009
【図８】
2008221743.tif 000010
【図９】
2008221743.tif 000011
【図１０】
2008221743.tif 000012
【図１１】
2008221743.tif 000013
【図１２】
2008221743.tif 000014
【図１３】
2008221743.tif 000015
【図１４】
2008221743.tif 000016
【図１５】
2008221743.tif 000017
【図１６】
2008221743.tif 000018
【図１７】
2008221743.tif 000019